【事件の表示】
　特願２０１７−９０１０４号「弾球遊技機」拒絶査定不服審判事件〔平成２９年　８月３１日出願公開、特開２０１７−１４８５７９号〕について、次のとおり審決する。
【結　論】
　本件審判の請求は、成り立たない。
【理　由】
１　手続の経緯
　本願は、平成２６年１１月１７日に出願された特願２０１４−２３３１２２号（当該出願を以下、「もとの出願」という。）の一部を平成２９年４月２８日に新たな特許出願としたものであって、平成３０年８月２９日付けで拒絶の理由が通知され、同年１１月５日に意見書及び手続補正書が提出され、平成３１年４月１日付けで更に拒絶の理由（最後）が通知され、令和１年６月４日に意見書及び手続補正書が提出され提出されたところ、同年８月９日付けで、同年６月４日付け手続補正書でした補正が却下されるとともに拒絶査定がなされた。これに対し同年１１月２０日に拒絶査定不服審判の請求がなされると同時に手続補正書が提出され、これに対して、令和２年６月２３日付けで当審において拒絶の理由（以下、「当審拒絶理由」という。）が通知され、同年８月２８日に意見書及び手続補正書が提出されたものである。
　
２　本願発明　
　本願の請求項１に係る発明（以下、「本願発明」という。）は、令和２年８月２８日に提出された手続補正書の特許請求の範囲の請求項１に記載された次のとおりのものである（Ａ〜Ｌは、本願発明を分説するため当審で付与した。）。
　
（本願発明）
「【請求項１】
Ａ　遊技に関する情報を表示可能な表示手段と、
Ｂ　遊技の進行に関する制御を行う制御手段と、
Ｃ　遊技者が操作可能な発射操作手段と、
Ｄ　前記発射操作手段が操作された場合に遊技球を発射する発射手段と、
Ｅ　前記発射手段によって発射された遊技球を検出する遊技球検出手段と、
Ｆ　前記遊技球検出手段とは別に設けられ、遊技者が遊技に関する設定の変更を行う設定変更手段と、
Ｇ　を備えた弾球遊技機であって、
Ｈ　遊技の進行停止中に客待ち演出開始条件が成立した場合に客待ち演出を実行させ、該客待ち演出の実行中に前記遊技球検出手段による検出が行われた場合に該客待ち演出を強制的に終了させる客待ち演出制御手段を備え、
Ｉ　前記制御手段は、前記客待ち演出の実行中に前記設定変更手段が操作された場合、遊技に関する設定の変更を可能とし、
Ｊ　前記表示手段は、前記客待ち演出の実行中に前記設定の変更が可能であることを示す設定可能表示を表示可能であるとともに、前記遊技球検出手段による検出が行われて該客待ち演出が強制的に終了した後も前記設定可能表示を引き続き表示可能であり、
Ｋ　前記遊技球検出手段による検出が行われて前記客待ち演出が強制的に終了した後も前記設定変更手段による設定の変更を不能とせず、引き続き前記設定の変更を可能とすること
Ｌ　を特徴とする弾球遊技機。」
３　拒絶の理由の概要
　当審拒絶理由の概要は、
　令和１年１１月２０日に提出された手続補正書により補正がされた請求項１−２に係る発明は、もとの出願前に日本国内又は外国において、頒布された又は電気通信回線を通じて公衆に利用可能となった下記の引用文献１に記載された発明及び引用文献２に記載の事項に基いて、その出願前にその発明の属する技術の分野における通常の知識を有する者が容易に発明をすることができたものであるから、特許法第２９条第２項の規定により特許を受けることができない、
というものである。
引用文献１：特開２００５−２８８０２０号公報
引用文献２：特開２０１３−２２３５７０号公報
４　引用文献に記載された事項
（１）　引用文献１
　当審拒絶理由に引用され、もとの出願前に日本国内又は外国において、頒布された又は電気通信回線を通じて公衆に利用可能となった上記引用文献１には、「弾球遊技機」の発明に関し、図面と共に以下の事項が記載されている（下線は当審で付した。以下同様。）。
ア　「【００２３】
　次に、本発明の実施例により発明の実施の形態を説明する。
［実施例］
　図１に示すように、
弾球遊技機の一種であるパチンコ機５０
・・・
　【００２５】
　ガラス枠６０の下方には上皿５５が配され、前面枠５２に対して開放可能に取り付けられている。上皿５５の前面部にはプッシュスイッチの
操作ボタン７５
が設置され
　【００２６】
　上皿５５の下方にては下皿６３が前面枠５２に固定され、
下皿６３の右側には発射ハンドル６４が取り付けられ
発射ハンドル６４を時計回りに回動操作すれば発射装置
が稼働して、
遊技球を遊技盤１０に向けて発射する
・・・
　【００２９】
　遊技領域１３の中央部にはセンターケース１４が装着されており、そのセンターケース１４にて取り囲まれるようにして
図柄表示装置１５
が配され
イ　「【００３６】
　
主制御装置３０は
遊技の進行に関わる各種のコマンドを生成して払出制御装置３２、発射制御装置３４
サブ統合基板９０及び図柄制御装置４０
に出力したり、また普通電動役物２２を開閉する普通役物ソレノイド、大入賞口２５を開閉するための大入賞口ソレノイド、大入賞口２５内の特定領域を開閉するＶソレノイド等の動作を制御する
・・・
　【００４０】
　
図柄制御装置４０は図柄表示装置１５と一体化されており
サブ統合基板９０（主制御装置３０）から送られてくるコマンドに応じて図柄表示装置１５の表示を制御する
　【００４１】
　
サブ統合基板９０は、主制御装置３０から送信されてくるデータ及びコマンドを受信し、それらを図柄制御装置４０、音制御用及びランプ制御用のデータに振り分けて、各制御部位に送信する
　【００４２】
　また、
サブ統合基板９０は、操作ボタン７５の操作信号が入力され
サブ統合基板９０は、操作ボタン７５の操作信号に応じてスピーカ５の音量を変更する
ウ　「【００４５】
　次に、パチンコ機５０の動作を説明する。・・・
・・・
　【００５２】
　このようにして、
大当たりか否かの当否抽選が行われ、その抽選結果を示す特別図柄（大当たり図柄又は外れ図柄）が図柄表示装置１５に表示され
エ　「【００６９】
　初期音量設定処理（図４）及び音量調整処理（図５）と図柄表示装置１５における表示との関係を図７、図８にて説明する。・・・
・・・
　【００７２】
　また、操作ボタン７５の操作信号が無い期間が一定期間Ａを経過すると、音量表示が終了する（図８Ｉ〜Ｋ）。
　
一定期間遊技が行われていないときには、図柄表示装置１５の表示がデモ表示になり
デモ表示においては、図８Ｌに例示するとおり、操作ボタン７５を押すと音量を変更できる旨が表示される
【図８】
オ　「【００８８】
　
特定のリーチが出現する変動パターンを
特定の変動パターンとして設定し
　【００８９】
　
図１０に示すように、図柄の変動表示が行われ（Ａ、Ｂ）
期間Ｙを経過すると特定のリーチが始まる（Ｃ）
　【００９０】
　
図１０Ａ、Ｂでは画面の右上に「音量調整可能期間」と表示されているとおり、特定の変動パターンであっても、この時点ではまだ音量調整が可能である
Ｃ、Ｄでは「音量調整可能期間」という表示は消えている。つまり、この期間は音量調整ができない期間になっており
【図１０】
カ　「【０１１３】
　例えば、実施例では
音量が調整できる期間は、図柄表示装置にて「音量調整可能期間」常に表示し
　【０１１４】
　また、実施例では
音量調整可能期間が特定変動の特定時以外の時である
キ　「【０１１８】
・・・
【図３】実施例のパチンコ機の電気ブロック図。」
ク　パチンコ機の電気ブロック図である図３より、主制御装置３０、払出制御装置３２、発射制御装置３４、サブ統合基板９０及び図柄制御装置４０を備えることが看取される。
【図３】
ケ　図８Ｌより、「音量調整可能期間」の表示をする態様が看取される。
コ　【００７２】の「デモ表示においては、図８Ｌに例示するとおり、操作ボタン７５を押すと音量を変更できる旨が表示される。」との記載、及び図８Ｌの「「音量調整可能期間」の表示をする態様」より、
「デモ表示においては、「音量調整可能期間」の表示をし」との事項が導かれる。
サ　【００８９】の「図１０に示すように、図柄の変動表示が行われ（Ａ、Ｂ）、」
との記載、
　【００９０】の「図１０Ａ、Ｂでは・・・「音量調整可能期間」と表示されているとおり、特定の変動パターンであっても、この時点ではまだ音量調整が可能である。」
との記載、
　【００８９】の「期間Ｙを経過すると特定のリーチが始まる（Ｃ）。」
との記載、
　【００９０】の「Ｃ、Ｄでは「音量調整可能期間」という表示は消えている。つまり、この期間は音量調整ができない期間になっており、」
との記載より、
「図柄の変動表示が行われ（【００８９】、図１０Ａ、Ｂ）、特定の変動パターンであっても、この時点では画面に「音量調整可能期間」と表示されて、まだ音量調整が可能であり（【００９０】、図１０Ａ、Ｂ）、期間Ｙを経過すると特定のリーチが始まり（【００８９】、図１０Ｃ）、「音量調整可能期間」という表示は消え、この期間は音量調整ができない期間になる（【００９０】）」
との事項が導かれる。
　そして、上記記載事項ア〜キに記載された事項、図面に記載された事項ク〜ケ、及び記載事項及び図面から導かれる事項（以下、「認定事項」という。）コ〜サを総合すると、引用文献１には、次の発明（以下、「引用発明」という。）が記載されていると認められる（ａ〜ｌは、本願発明のＡ〜Ｌに概ね対応させて当審にて付与した。また、丸括弧内に示された段落番号等は、引用文献１における引用箇所を示す。）。
（引用発明）　
「ａ　図柄表示装置１５が配され（【００２９】）、
　大当たりか否かの当否抽選が行われ、その抽選結果を示す特別図柄（大当たり図柄又は外れ図柄）が図柄表示装置１５に表示され（【００５２】）、
　
ｂ　主制御装置３０、払出制御装置３２、発射制御装置３４、サブ統合基板９０及び図柄制御装置４０を備え（図３）、
　主制御装置３０は、遊技の進行に関わる各種のコマンドを生成して払出制御装置３２、発射制御装置３４、サブ統合基板９０及び図柄制御装置４０に出力したり、また普通電動役物２２を開閉する普通役物ソレノイド、大入賞口２５を開閉するための大入賞口ソレノイド、大入賞口２５内の特定領域を開閉するＶソレノイド等の動作を制御し（【００３６】）、
　サブ統合基板９０は、主制御装置３０から送信されてくるデータ及びコマンドを受信し、それらを図柄制御装置４０、音制御用及びランプ制御用のデータに振り分けて、各制御部位に送信し（【００４１】）、
　
ｃｄ　下皿６３の右側には発射ハンドル６４が取り付けられ、発射ハンドル６４を時計回りに回動操作すれば発射装置が稼働して、遊技球を遊技盤１０に向けて発射し（【００２６】）、
　
ｆ　操作ボタン７５が設置され（【００２５】）、サブ統合基板９０は、操作ボタン７５の操作信号が入力され、操作ボタン７５の操作信号に応じてスピーカ５の音量を変更する（【００４２】）、
ｇ　弾球遊技機の一種であるパチンコ機５０であって（【００２３】）、
　
ｈ　一定期間遊技が行われていないときには、図柄表示装置１５の表示がデモ表示になり（【００７２】、図８Ｌ）、
　図柄表示装置１５と一体化されており、サブ統合基板９０（主制御装置３０）から送られてくるコマンドに応じて図柄表示装置１５の表示を制御する、図柄制御装置４０を備え（【００４０】）、
　　
ｉｊｋ　デモ表示においては、「音量調整可能期間」の表示をし（【００７２】、図８Ｌ、認定事項コ）、
　音量が調整できる期間は、図柄表示装置１５にて「音量調整可能期間」を常に表示し（【０１１３】）、
　音量調整可能期間は特定変動の特定時以外の時であり（【０１１４】）、特定のリーチが出現する変動パターンを特定の変動パターンとして設定し（【００８８】）、
　図柄の変動表示が行われ（【００８９】、図１０Ａ、Ｂ）、特定の変動パターンであっても、この時点では画面に「音量調整可能期間」と表示されて、まだ音量調整が可能であり（【００９０】、図１０Ａ、Ｂ）、期間Ｙを経過すると特定のリーチが始まり（【００８９】、図１０Ｃ）、「音量調整可能期間」という表示は消え、この期間は音量調整ができない期間になる（【００９０】）（認定事項サ）、
　
ｌ　パチンコ機５０（【００２３】）。」
（２）　引用文献２
　当審拒絶理由に引用され、もとの出願前に日本国内又は外国において、頒布された又は電気通信回線を通じて公衆に利用可能となった上記引用文献２には、図面と共に以下の事項が記載されている。
ア　「【０００６】
　以上の課題を解決するため、請求項１に記載の発明は、始動入賞口への遊技球の入賞に基づき、複数の識別情報を変動表示する変動表示ゲームを表示する表示装置を備える遊技機において、
　
遊技者による発射操作を検出可能な検出手段
　前記表示装置において前記変動表示ゲームが行われていないときに表示するデモ画面の表示制御を行うデモ表示制御手段と、
を備え
　前記デモ表示制御手段は、
　前記変動表示ゲームが行われていない時間の長さと、前記検出手段からの検出信号と、に基づいて前記デモ画面の表示制御を行うことを特徴とする。
　【０００７】
　ここで、
遊技者による発射操作を検出可能な検出手段は
遊技者が発射操作を行うために回動させる操作部に触れたことを検出するタッチセンサの他
発射された遊技球を検出するセンサ
など、遊技者による発射操作を検出できるものであれば
良い
イ　「【００３０】
　本実施形態の
遊技機１０
ウ　「【０１０８】
　また、
特図変動表示ゲームが所定時間行われていない場合に表示装置４１にデモ画面を表示可能であるが
特図変動表示ゲームが所定時間行われていない場合であっても
遊技者の発射操作を検出した場合はデモ画面を表示しないようにして
エ　「【０１１７】
　これに対して本願発明の遊技機では、遊技者による操作部２４の操作をタッチセンサ２４ａにより検出（ｔ１５からｔ１８）している場合には、特図変動表示ゲームが開始されていなくてもデモ画面への切り替えを行わず（ｔ１７）、遊技者が不快な思いをすることを防止するようにしている。なお、図６に示す例では、
デモ画面の表示中
に発射操作を検出した場合
には、
発射操作を検出した時点でデモ画面の表示を終了する
オ　「【０４０７】
　ここで、
遊技者による発射操作を検出可能な検出手段は
遊技者が発射操作を行うために回動させる操作部２４に触れたことを検出するタッチセンサの他
発射された遊技球を検出するセンサ
など、遊技者による発射操作を検出できるものであれば
良い
　そして、上記記載事項ア〜オに記載された事項を総合すると、引用文献２には、次の事項（以下、「引用文献２記載の事項」という。）が記載されていると認められる（ｅ〜ｌは、本願発明のＥ〜Ｌに概ね対応させて当審にて付与した。また、丸括弧内に示された段落番号等は、引用文献２における引用箇所を示す。）。
（引用文献２記載の事項）　
「ｅ　遊技者による発射操作を検出可能な検出手段を備え（【０００６】）、 
　遊技者による発射操作を検出可能な検出手段は、遊技者が発射操作を行うために回動させる操作部に触れたことを検出するタッチセンサの他、発射された遊技球を検出するセンサなど、遊技者による発射操作を検出できるものであれば良く（【０００７】、【０４０７】）、 
　
ｈ−ｋ　特図変動表示ゲームが所定時間行われていない場合に表示装置４１にデモ画面を表示可能であるが、特図変動表示ゲームが所定時間行われていない場合であっても遊技者の発射操作を検出した場合はデモ画面を表示しないようにし（【０１０８】）、 
　デモ画面の表示中に遊技者による発射操作を検出した場合には、発射操作を検出した時点でデモ画面の表示を終了する（【０１１７】）、 
  
ｌ　遊技機１０（【００３０】）。」
５　本願発明と引用発明の対比
　本願発明と引用発明とを分説にしたがって対比する。
（１）（構成Ａ）　引用発明の構成ａの「大当たりか否かの当否抽選」「の抽選結果を示す特別図柄」、「表示され」ること、及び「図柄表示装置１５」は、それぞれ本願発明の構成Ａの「遊技に関する情報」、「表示可能」なこと、及び「表示手段」に相当する。　
　してみると、引用発明の構成ａは、本願発明の構成Ａに相当する構成を有する。
（２）（構成Ｂ）　引用発明の構成ｂの「主制御装置３０」における、「遊技の進行に関わる各種のコマンドを生成して払出制御装置３２、発射制御装置３４、サブ統合基板９０及び図柄制御装置４０に出力したり、また普通電動役物２２を開閉する普通役物ソレノイド、大入賞口２５を開閉するための大入賞口ソレノイド、大入賞口２５内の特定領域を開閉するＶソレノイド等の動作を制御」すること、及び「サブ統合基板９０」における、「主制御装置３０から送信されてくるデータ及びコマンドを受信し、それらを図柄制御装置４０、音制御用及びランプ制御用のデータに振り分けて、各制御部位に送信」することは、いずれも本願発明の構成Ｂの「遊技の進行に関する制御」に相当する。
　そうすると、引用発明の構成ｂの「主制御装置３０」及び「サブ統合基板９０」は、本願発明の構成Ｂの「遊技の進行に関する制御を行う制御手段」に相当する。　
　してみると、引用発明の構成ｂは、本願発明の構成Ｂに相当する構成を有する。
（３）（構成Ｃ、Ｄ）　引用発明の構成ｃｄの「時計回りに回動操作す」ること、及び「発射ハンドル６４」は、それぞれ本願発明の構成Ｃの「遊技者が操作」すること、「発射操作手段」に相当する。　
　また、引用発明の構成ｃｄの「発射ハンドル６４を時計回りに回動操作すれば」「稼働して、遊技球を遊技盤１０に向けて発射」する「発射装置」は、本願発明の構成Ｄの「発射操作手段が操作された場合に遊技球を発射する発射手段」に相当する。　
　してみると、引用発明の構成ｃｄは、本願発明の構成Ｃ及びＤに相当する構成を有する。
　
（４）（構成Ｆ）　引用発明の構成ｆの「スピーカ５の音量」は、本願発明の構成Ｆの「遊技に関する設定」に相当するとともに、同構成ｆの「操作ボタン７５」は、「操作ボタン７５の操作信号に応じてスピーカ５の音量を変更する」ものであるから、本願発明の構成Ｆの「遊技者が遊技に関する設定の変更を行う設定変更手段」に相当する。
　してみると、引用発明の構成ｆは、本願発明の構成Ｆと「遊技者が遊技に関する設定の変更を行う設定変更手段と」「を備え」る点で共通する。
（５）（構成Ｇ、Ｌ）　引用発明の構成ｇ及びｌの「パチンコ機５０」は、「弾球遊技機の一種である」から、本願発明の構成Ｇ及びＬの「弾球遊技機」に相当する。　
　してみると、引用発明の構成ｇ及びｌは、それぞれ本願発明の構成Ｇ及びＬに相当する構成を有する。
（６）（構成Ｈ）　引用発明の構成ｈの「図柄表示装置１５の表示がデモ表示にな」ることは、本願発明の構成Ｈの「客待ち演出を実行」することに相当する。　
　また、引用発明の構成ｈの「遊技が行われていない」こと、及び「一定期間」は、それぞれ本願発明の構成Ｈの「遊技の進行停止中」、及び「客待ち演出開始条件」に相当するので、引用発明の構成ｈの「一定期間遊技が行われていないとき」は本願発明の構成Ｈの「遊技の進行停止中に客待ち演出開始条件が成立した場合」に相当する。
　そして、引用発明では、「図柄制御装置４０」が「サブ統合基板９０（主制御装置３０）から送られてくるコマンドに応じて図柄表示装置１５の表示を制御する」のだから、引用発明の「図柄制御装置４０」、「サブ統合基板９０」、及び「主制御装置３０」が、本願発明の「客待ち演出制御手段」に相当するものといえる。
　してみると、引用発明の構成ｈは、本願発明の構成Ｈと「遊技の進行停止中に客待ち演出開始条件が成立した場合に客待ち演出を実行させ」「る客待ち演出制御手段を備え」る点で共通する。
（７）（構成Ｉ）　引用発明の構成ｆの「サブ統合基板９０は」「操作ボタン７５の操作信号に応じてスピーカ５の音量を変更」することは、本願発明の構成Ｉの「前記制御手段は」「遊技に関する設定の変更を」することに相当する。
　また、引用発明の構成ｉｊｋの「デモ表示において」、及び「音量が調整できる」ことは、それぞれ本願発明の構成Ｉの「客待ち演出の実行中」、及び「遊技に関する設定の変更を可能と」することに相当する。
　そして、引用発明の構成ｉｊｋにおいては「デモ表示においては、「音量調整可能期間」を表示」するものであり、当該「音量調整可能期間」の表示に関しては、同構成ｉｊｋのとおり
「音量が調整できる期間は」「常に表示」される
実際に「音量が調整できる」（遊技に関する設定の変更を可能とする）
　してみると、引用発明の構成ｉｊｋは、本願発明の構成Ｉに相当する構成を有する。
（８）（構成Ｊ）
ア　引用発明の構成ｉｊｋの「図柄表示装置１５にて「音量調整可能期間」を」「表示」することは、本願発明の構成Ｈの「前記表示手段は」「設定可能表示を表示可能」とすることに相当し、同構成ｉｊｋの「デモ表示において」「「音量調整可能期間」を表示」することは、本願発明の構成Ｈの「客待ち演出の実行中に前記設定の変更が可能であることを示す設定可能表示を表示」することに相当する。
イ　次に、本願発明の「前記遊技球検出手段による検出が行われて該客待ち演出が強制的に終了した後も前記
設定可能表示を引き続き表示
「【０１４９】
　通常遊技の画面に復帰する契機は、遊技者が球貸ボタン１５ａを操作したことや、遊技者が実際に遊技球を打ち出して、最初の遊技球が特定地点通過検出センサ４７を通過したことであってもよい。これら通常遊技の画面に復帰する契機を複数備え、状況に応じて使い分けてもよい。
　【０１５０】
　また、遊技球が始動入賞して特別図柄の変動が開始するまでの間や通常遊技の画面に復帰した後、
所定期間は、設定可能報知を表示したままとする
打出しを開始した直後は音量の調整
が行える
　そうすると、本願発明の構成Ｈの「前記設定可能表示を
引き続き表示
際限なく表示し続ける必要はなく、打ち出しを開始した直後の音量の調節を可能とする程度の期間において表示をし続けていればよい
　
　上記理解に基づいて更に対比を行うと、引用発明の構成ｉｊｋは、
「音量調整可能期間は特定変動の特定時以外の時
「特定のリーチ」が始まるまでは常に「音量調整可能期間」との表示が表示され続けるものといえる
　そうすると、引用発明の構成ｉｊｋの
「音量調整可能期間は特定変動の特定時以外の時であり、特定のリーチが出現する変動パターンを特定の変動パターンとして設定し、　
　図柄の変動表示が行われ、特定の変動パターンであっても、この時点では画面に「音量調整可能期間」と表示されて、まだ音量調整が可能であり、期間Ｙを経過すると特定のリーチが始まり、「音量調整可能期間」という表示は消え、この期間は音量調整ができない期間になる」ことは、本願発明の構成Ｊの「客待ち演出が」「終了した後も前記設定可能表示を引き続き表示可能であ」ることに相当する。
ウ　してみると、引用発明の構成ｉｊｋは、本願発明の構成Ｊと、
「前記表示手段は、前記客待ち演出の実行中に前記設定の変更が可能であることを示す設定可能表示を表示可能であるとともに、」「該客待ち演出が」「終了した後も前記設定可能表示を引き続き表示可能であ」る点で共通する。
（９）（構成Ｋ）
　本願発明の「引き続き前記設定の変更を可能とする」との事項について、本願の明細書【０１４９】〜【０１５０】（上記（８）参照）の記載を参酌すると、本願発明の構成Ｋの「
引き続き前記設定の変更を可能
は、設定の変更を際限なく可能とする必要はなく、打ち出しを開始した直後の期間において設定を変更可能にし続けていればよい
　また、引用発明の構成ｉｊｋにおいては、「デモ表示」後の打ち出しを開始した直後に音量の調節を可能とする程度の期間において「音量調整可能期間」の表示が表示され続けていることは上記（８）にて説示のとおりであり、一方、引用発明の構成ｉｊｋによれば、「音量が調整できる期間は、図柄表示装置にて「音量調整可能期間」を常に表示」するのだから、引用発明の構成ｉｊｋの、
「音量調整可能期間は特定変動の特定時以外の時であり、特定のリーチが出現する変動パターンを特定の変動パターンとして設定し、　
　図柄の変動表示が行われ、特定の変動パターンであっても、この時点では画面に「音量調整可能期間」と表示されて、まだ音量調整が可能であ」ることは、本願発明の構成Ｋの「客待ち演出が」「終了した後も」「設定の変更を不能とせず、引き続き前記設定の変更を可能とすること」に相当する。
　また、「音量」の「変更」（設定の変更）が「操作ボタン７５」（設定変更手段）で行われることは上記（４）にて説示のとおりである。
　してみると、引用発明の構成ｉｊｋ及び構成ｆは、本願発明の構成Ｋと「客待ち演出が」「終了した後も前記設定変更手段による設定の変更を不能とせず、引き続き前記設定の変更を可能とする」点で共通する。
　そうすると、本願発明と引用発明の一致点及び相違点は、以下のとおりである。
（一致点）
「Ａ　遊技に関する情報を表示可能な表示手段と、
Ｂ　遊技の進行に関する制御を行う制御手段と、
Ｃ　遊技者が操作可能な発射操作手段と、
Ｄ　前記発射操作手段が操作された場合に遊技球を発射する発射手段と、
Ｆ′遊技者が遊技に関する設定の変更を行う設定変更手段と、
Ｇ　を備えた弾球遊技機であって、
Ｈ′遊技の進行停止中に客待ち演出開始条件が成立した場合に客待ち演出を実行させる客待ち演出制御手段を備え、
Ｉ　前記制御手段は、前記客待ち演出の実行中に前記設定変更手段が操作された場合、遊技に関する設定の変更を可能とし、
Ｊ′前記表示手段は、前記客待ち演出の実行中に前記設定の変更が可能であることを示す設定可能表示を表示可能であるとともに、該客待ち演出が終了した後も前記設定可能表示を引き続き表示可能であり、
Ｋ′客待ち演出が終了した後も前記設定変更手段による設定の変更を不能とせず、引き続き前記設定の変更を可能とする
Ｌ　弾球遊技機。」
（相違点）（構成Ｅ、Ｆ、Ｈ、Ｊ、Ｋ）
　本願発明は、
「前記発射手段によって発射された遊技球を検出する遊技球検出手段」を「備え」（構成Ｅ）、
「遊技者が遊技に関する設定の変更を行う設定変更手段」に関し、「前記遊技球検出手段とは別に設けられ」るものであり（構成Ｆ）、
「遊技の進行停止中に客待ち演出開始条件が成立した場合に客待ち演出を実行させ」る「客待ち演出制御手段」について、「該客待ち演出の実行中に前記遊技球検出手段による検出が行われた場合に該客待ち演出を強制的に終了させ」るものであり（構成Ｈ）、
「客待ち演出」の「終了」に関し、「前記遊技球検出手段による検出が行われて該客待ち演出が強制的に終了した」ものである（構成Ｊ、Ｋ）
のに対し、引用発明は、「遊技球検出手段」及び「遊技球検出手段」に関連する構成を備えない点。
６　相違点の検討
　上記相違点について検討する。
（１）　引用文献２記載の事項は、上記「４　引用文献に記載された事項」「（２）　引用文献２」にて示すとおりである。
ア　引用文献２記載の事項の構成ｅの「遊技者による発射操作を検出可能な検出手段」のうち、「発射された遊技球を検出するセンサ」は、本願発明の構成Ｅの「発射手段によって発射された遊技球を検出する遊技球検出手段」に相当する。
イ　また、引用文献２記載の事項の構成ｈ−ｋの「特図変動表示ゲーム」が「行われていない」こと、「特図変動表示ゲームが所定時間行われていない場合」で「遊技者の発射操作を検出し」ないこと、及び「表示装置４１にデモ画面を表示」することは、それぞれ本願発明の構成Ｈの「遊技の進行停止中」、「客待ち演出開始条件が成立した場合」、及び「客待ち演出を実行」することに相当するから、引用文献２記載の事項の構成ｈ−ｋの「特図変動表示ゲームが所定時間行われていない場合」で「遊技者の発射操作を検出し」ない場合に「表示装置４１にデモ画面を表示」することは、本願発明の構成Ｈの「遊技の進行停止中に客待ち演出開始条件が成立した場合に客待ち演出を実行」することに相当する。
ウ　また、「遊技者による発射操作を検出可能な検出手段」が「発射された遊技球を検出するセンサ」（発射手段によって発射された遊技球を検出する遊技球検出手段）であることを前提とすると（引用文献２記載の事項の構成ｅ参照）、引用文献２記載の事項の構成ｈ―ｋの「デモ画面の表示中に遊技者による発射操作を検出した場合には、発射操作を検出した時点でデモ画面の表示を終了」することは、本願発明の構成Ｈの「該客待ち演出の実行中に前記遊技球検出手段による検出が行われた場合に該客待ち演出を強制的に終了」すること、同構成Ｊの「前記遊技球検出手段による検出が行われて該客待ち演出が強制的に終了」すること、及び同構成Ｋの「前記遊技球検出手段による検出が行われて前記客待ち演出が強制的に終了」することにそれぞれ相当する。　
エ　また、引用文献２記載の事項の構成ｌの「遊技機１０」は本願発明の構成Ｌの「遊技機」に相当する。　
（２）　そして、引用発明と引用文献２記載の事項は、いずれも「遊技の進行停止中に客待ち演出開始条件が成立した場合に客待ち演出を実行させる」（構成Ｈ）、「遊技機」（構成Ｌ）である点で共通し、さらに、引用発明に対して引用文献２記載の事項を適用することに阻害要因がみられないことから、引用発明に引用文献２記載の事項を適用し、上記相違点に係る構成とすることは、当業者が容易に想到することである。
　また、引用発明の構成ｆの「操作ボタン７５」（本願発明の構成Ｆの「遊技者が遊技に関する設定の変更を行う設定変更手段」に相当）と、引用文献２記載の事項の「遊技者による発射操作を検出可能な検出手段」である「発射された遊技球を検出するセンサ」（本願発明の構成Ｅの「発射手段によって発射された遊技球を検出する遊技球検出手段」に相当）とは、そもそも前者が「遊技者の操作」を検出するものであるのに対し、後者が「遊技球」を検出するものであり、両者はその検出対象を異とする関係にあるものなのだから、引用発明に引用文献２記載の事項を適用すれば、引用発明の「操作ボタン７５」（遊技者が遊技に関する設定の変更を行う設定変更手段）は、引用文献２記載の事項の「発射された遊技球を検出するセンサ」（遊技球検出手段）とは当然に「別に設けられ」たものとなり、引用発明に引用文献２記載の事項を適用し、上記相違点に係る本願発明の構成Ｆとすることもまた、当業者が容易に想到することである。
　そして、本願発明の作用効果は、引用発明及び引用文献２記載の事項から当業者が予測できるものである。
（３）　そうすると、本願発明は引用発明及び引用文献２記載の事項から当業者が容易に発明をすることができたものである。
　
７　審判請求人の主張について
（１）　審判請求人（以下、単に「請求人」という。）は、令和２年８月２８日提出の意見書（以下、単に「意見書」という。）の「（５）拒絶理由／進歩性について」「（５−１）引用発明」において、引用文献１について、
「図８のＬ→Ｍへの表示の移行は、遊技者による特定の操作ではなく、図８のＬ（デモ表示）において、遊技者が最後の設定操作から操作することなく、一定時間以上経過すると、自動的にＭに移行すると、考えるのが妥当である。」
と主張している。
　しかし、引用文献２記載の事項の構成ｈ―ｋの「デモ画面の表示中に遊技者による発射操作を検出した場合には、発射操作を検出した時点でデモ画面の表示を終了」することは、本願発明の構成Ｈの「該客待ち演出の実行中に前記遊技球検出手段による検出が行われた場合に該客待ち演出を強制的に終了」するものである。してみると、仮に引用文献１の図８のＬ→Ｍへの表示の移行が、遊技者による特定の操作ではなく、図８のＬ（デモ表示）において、遊技者が最後の設定操作から操作することなく、一定時間以上経過すると、自動的にＭに移行するものであったとしても、引用発明に引用文献２記載の事項を適用し、「客待ち演出の実行中に前記遊技球検出手段による検出が行われた場合に該客待ち演出を強制的に終了」するものとすることは、当業者が容易に想到することである。
（２）　また請求人は意見書の「（５）拒絶理由／進歩性について」「（５−１）引用発明」において、引用文献１について、
「（ｂ）また、拒絶理由通知書には記載されていないが、本願発明と引用発明とではもうひとつ大きな相違点が存在している（相違点４）。
　それは、本願発明の構成Ｉが「客待ち演出が強制的に終了した後も前記設定変更手段による設定の変更を不能とせず、引き続き前記設定の変更を可能とする」ものであるのに対し、引用発明はそうなっていない点である。
　引用文献１／図８には、「各遊技状態において設定操作が可能」である旨は記載されている。しかし、これはあくまでも各状態において少なくとも一部で可能であることを示した、言わば「点」の開示でしかない。
　例えば、非遊技状態から遊技状態に切り替わるタイミング（引用文献１／図８のＭ→Ｎ）において「設定の変更を不能とせず、引き続き設定の変更を可能とする」という、言わば「線」の開示は一切されていない。」
と主張し、意見書において、「むしろ相違点４こそが一番の検討事項」とも主張している。
　しかし、引用発明の構成ｉｊｋは、「音量調整可能期間は特定変動の特定時以外の時であり、特定のリーチが出現する変動パターンを特定の変動パターンとして設定し、図柄の変動表示が行われ、特定の変動パターンであっても、この時点では画面に「音量調整可能期間」と表示されて、まだ音量調整が可能であり、期間Ｙを経過すると特定のリーチが始まり、「音量調整可能期間」という表示は消え、この期間は音量調整ができない期間にな」り、「音量が調整できる期間は、図柄表示装置１５にて「音量調整可能期間」を常に表示」するのだから、「特定のリーチ」「以外の時」である「特定のリーチ」が始まるまでは常に「音量調整可能期間」との表示が表示され続けるものといえる。そして当該常に「音量調整可能期間」との表示が表示され続ける状態は、審判請求人が意見書で主張する「線」の状態であるといえる。
　さらに、「リーチ」が始まる前に、客待ち表示が終了してから、図柄の変動表示が行われ、左右の図柄が停止するまでに一定の時間がかかることは技術常識であるから、引用発明の構成ｉｊｋにおいては、「デモ表示」後の打ち出しを開始した直後に音量の調節を可能とする程度の期間において「音量調整可能期間」の表示が表示され続けているといえる（上記「５　本願発明と引用発明の対比」「（８）（構成Ｊ）」参照）。
　一方、引用発明の構成ｉｊｋによれば、「音量が調整できる期間は、図柄表示装置にて「音量調整可能期間」を常に表示」するのだから、引用発明の構成ｉｊｋの、
「音量調整可能期間は特定変動の特定時以外の時であり、特定のリーチが出現する変動パターンを特定の変動パターンとして設定し、　
　図柄の変動表示が行われ、特定の変動パターンであっても、この時点では画面に「音量調整可能期間」と表示されて、まだ音量調整が可能であ」ることは、本願発明の構成Ｋの「客待ち演出が」「終了した後も設定の変更を不能とせず、引き続き前記設定の変更を可能とする」ことに相当する（上記「５　本願発明と引用発明の対比」「（９）（構成Ｋ）」参照）。
　してみると、引用発明の構成ｉｊｋもまた本願発明と同じく、「設定の変更を不能とせず、引き続き設定の変更を可能とする」ものであり、引用発明の構成ｉｊｋも請求人が意見書でいう「線」の開示がされているものである。
　したがって、請求人の意見書における主張を採用して、本願について特許をすべきものとする審決をすることはできない。
８　むすび　
　以上のとおりであるから、本願発明は、特許法第２９条第２項の規定により特許を受けることができない。
　したがって、他の請求項について検討するまでもなく、本願は拒絶すべきものである。
　
　よって、結論のとおり審決する。